(57)【要約】【課題】大きなダメージを与えることなく目標サンプルを選択的に分別することができるセルソータおよびサンプル分別方法を提供する。【解決手段】測定サンプルＳがレーザ光照射域Ｒ１を通過する際に光学ユニット１４および分析部２２により得られた光情報に基づき、測定サンプルＳが目標サンプルであるか否かが制御部２８により判定され、目標サンプルであると判定された測定サンプルＳを含む液滴Ｄが所定位置Ｒ２に至るタイミングで液体噴射部２６が駆動され、液体噴射部２６から噴射された液体Ｌが液滴Ｄに衝突して、液滴Ｄはその落下軌跡を偏向させ、回収容器３２に収容される。【選択図】図１
2010216992.tif 000002
【特許請求の範囲】
【請求項１】
溶液中に分散され間隔をあけながら１列となって流れる目標サンプルと他のサンプルとを含む多数の測定サンプルを光ビームの照射域に通すことにより得られるそれぞれの前記測定サンプルの光情報に基づいて前記目標サンプルを選択的に分別するセルソータであって、
前記測定サンプルが分散された溶液から順次液滴を形成して落下させる液滴形成部と、
前記液滴形成部により落下する液滴に向けて側方から液体を噴射するための液体噴射手段と、
前記測定サンプルの光情報に基づいて前記液体噴射手段を選択的に駆動することにより、前記目標サンプルを含む落下途中の液滴に前記液体噴射手段から噴射された液体を衝突させてこの液滴の落下軌道を偏向させ、前記目標サンプルを含む液滴を他の液滴から分別する制御部と
を備えたことを特徴とするセルソータ。
【請求項２】
前記液体噴射手段は、圧電素子の駆動により液体を噴射する請求項１に記載のセルソータ。
【請求項３】
前記液体噴射手段は、前記液滴形成部により落下する液滴に向けて互いに異なる方向から液体を噴射する複数の液体噴射部を有し、
前記制御部は、前記測定サンプルの光情報に基づいて前記複数の液体噴射部のうちの１つを選択的に駆動することにより、液滴の落下軌道を、駆動された前記液体噴射部に対応した方向に偏向させる請求項１または２に記載のセルソータ。
【請求項４】
前記測定サンプルが分散された溶液を流通させて開口端部から吐出するフローセルをさらに備え、
前記液滴形成部は、前記フローセルの開口端部を振動させることにより、この開口端部を通る溶液から液滴を形成する振動子を有する請求項１〜３のいずれか一項に記載のセルソータ。
【請求項５】
溶液中に分散され間隔をあけながら１列となって流れる目標サンプルと他のサンプルとを含む多数の測定サンプルを光ビームの照射域に通すことにより得られるそれぞれの前記測定サンプルの光情報に基づいて前記目標サンプルを選択的に分別する方法であって、
前記測定サンプルが分散された溶液から順次液滴を形成して落下させ、
前記測定サンプルの光情報に基づいて前記目標サンプルを含む落下途中の液滴に側方から噴射された液体を衝突させてこの液滴の落下軌道を偏向させることにより前記目標サンプルを含む液滴を他の液滴から分別する
ことを特徴とするサンプル分別方法。
【請求項６】
前記測定サンプルの光情報に基づいて前記目標サンプルを含む落下途中の液滴に互いに異なる方向から選択的に液体を噴射することにより、液滴の落下軌道を、複数の方向のうちのいずれかに偏向させる請求項５に記載のサンプル分別方法。
【発明の詳細な説明】
【技術分野】
【０００１】
この発明は、セルソータおよびサンプル分別方法に係り、特に、細胞等の多数の測定サンプルから目標サンプルを選択的に分別するセルソータおよび方法に関する。
【背景技術】
【０００２】
医療分野において、複数種の細胞を含む溶液から特定の細胞を分別することは、医療効果を高めるための非常に重要な処理である。近年、このような分別の手段として、細胞等の多数のサンプルが分散された溶液の流れを形成し、各サンプルにレーザ光を照射してサンプルから発せられる蛍光、散乱光等を分析することによりサンプルの種別を同定して目標となるサンプルを分別するフローサイトメータが用いられるようになった。このフローサイトメータは、短時間に多数のサンプルについての分析を可能とするので、特に、再生医療の分野における幹細胞の選別収集への利用が注目されている。
【０００３】
幹細胞とは、細胞分裂を経ても、再び自らと同じ細胞を複製する能力を維持すると共に、他の種類の細胞に分化する能力を有する細胞のことであり、この能力により組織や臓器を構成する細胞を作り出すことができる。幹細胞は、多くの組織において存在するものであるが、その数は少なく、通常、採取した大量の細胞サンプルの中から極微量しか見つけることができない。このため、幹細胞を高精度に選別収集することが要求されている。
【０００４】
多数のサンプルから目標となるサンプルを分別する方法としては、例えば、特許文献１に、多数のサンプルが分散された溶液の流れから液滴を順次形成して落下させると共に、目標サンプルを含む液滴のみを選択的に帯電した上で、落下途中において各液滴に所定の電界中を通過させる方法が開示されている。電界中を通過する際に、帯電されている液滴のみが電界から静電気力を受けてその落下方向を曲げるので、その液滴に含まれる目標サンプルを他のサンプルから分別することができる。
【先行技術文献】
【特許文献】
【０００５】
【特許文献１】特開昭６２−２５５８６８号公報
【発明の概要】
【発明が解決しようとする課題】
【０００６】
しかしながら、目標サンプルを分別するために目標サンプルを含む液滴を帯電すると、付与された電荷により細胞等からなる目標サンプルが大きなダメージを受けるおそれがある。特に、幹細胞を目標サンプルとする場合には、ダメージによって正常に分化することができなくなる、あるいは、癌細胞等の不良細胞が発現する、等の不具合を来すおそれがある。
【０００７】
この発明は、このような従来の問題点を解消するためになされたもので、大きなダメージを与えることなく目標サンプルを選択的に分別することができるセルソータおよびサンプル分別方法を提供することを目的とする。
【課題を解決するための手段】
【０００８】
この発明に係るセルソータは、溶液中に分散され間隔をあけながら１列となって流れる目標サンプルと他のサンプルとを含む多数の測定サンプルを光ビームの照射域に通すことにより得られるそれぞれの測定サンプルの光情報に基づいて目標サンプルを選択的に分別するセルソータであって、測定サンプルが分散された溶液から順次液滴を形成して落下させる液滴形成部と、液滴形成部により落下する液滴に向けて側方から液体を噴射するための液体噴射手段と、測定サンプルの光情報に基づいて液体噴射手段を選択的に駆動することにより、目標サンプルを含む落下途中の液滴に液体噴射手段から噴射された液体を衝突させてこの液滴の落下軌道を偏向させ、目標サンプルを含む液滴を他の液滴から分別する制御部とを備えたものである。
【０００９】
好ましくは、液体噴射手段は、圧電素子の駆動により液体を噴射する。
また、液体噴射手段が、液滴形成部により落下する液滴に向けて互いに異なる方向から液体を噴射する複数の液体噴射部を有し、制御部が、測定サンプルの光情報に基づいて複数の液体噴射部のうちの１つを選択的に駆動することにより、液滴の落下軌道を、駆動された液体噴射部に対応した方向に偏向させるように構成することもできる。
測定サンプルが分散された溶液を流通させて開口端部から吐出するフローセルをさらに備え、液滴形成部が、フローセルの開口端部を振動させることにより、この開口端部を通る溶液から液滴を形成する振動子を有するようにしてもよい。
【００１０】
この発明に係るサンプル分別方法は、溶液中に分散され間隔をあけながら１列となって流れる目標サンプルと他のサンプルとを含む多数の測定サンプルを光ビームの照射域に通すことにより得られるそれぞれの測定サンプルの光情報に基づいて目標サンプルを選択的に分別する方法であって、測定サンプルが分散された溶液から順次液滴を形成して落下させ、測定サンプルの光情報に基づいて目標サンプルを含む落下途中の液滴に側方から噴射された液体を衝突させてこの液滴の落下軌道を偏向させることにより目標サンプルを含む液滴を他の液滴から分別する方法である。
【００１１】
なお、測定サンプルの光情報に基づいて目標サンプルを含む落下途中の液滴に互いに異なる方向から選択的に液体を噴射することにより、液滴の落下軌道を、複数の方向のうちのいずれかに偏向させるようにしてもよい。
【発明の効果】
【００１２】
この発明によれば、目標サンプルを含む落下途中の液滴に側方から噴射された液体を衝突させて、これにより液滴の落下軌道を偏向させるので、大きなダメージを与えることなく目標サンプルを選択的に分別することが可能となる。
【図面の簡単な説明】
【００１３】
【図１】この発明の実施の形態１に係るセルソータを備えたフローサイトメータの構成を示す図である。
【図２】実施の形態１で用いられた液体噴射部の構成を示す断面図である。
【図３】液体噴射時における図２の液体噴射部の要部を示す断面図である。
【図４】実施の形態２に係るセルソータの要部の構成を示す部分断面図である。
【図５】実施の形態３に係るセルソータの概略構成を示す図である。
【図６】実施の形態４に係るセルソータにおいて目標サンプルを含む液滴に液体を噴射した状態を示す図である。
【図７】実施の形態４の変形例に係るセルソータにおいて目標サンプルを含む液滴に液体を噴射した状態を示す図である。
【図８】実施の形態４の他の変形例に係るセルソータにおいて目標サンプルを含む液滴に液体を噴射した状態を示す図である。
【発明を実施するための形態】
【００１４】
以下、図面に示す好適な実施の形態に基づいて、この発明を詳細に説明する。
実施の形態１
図１に、この発明の実施の形態１に係るセルソータを備えたフローサイトメータの構成を示す。フローサイトメータは、ほぼ鉛直方向に配置された円筒形状のフローセル１０を有している。フローセル１０は、測定サンプルＳが分散された溶液を流通させるためのもので、フローセル１０の下端に開口端部１２が形成されている。フローセル１０内では、シース液の流れの中に測定サンプルＳを含むサンプル液を吐出することにより、流体力学的絞り込み効果に起因して極めて細いサンプル液流が形成され、測定サンプルＳが１列となって適宜間隔をあけながら所定の速度Ｖで開口端部１２へと流れるように構成されている。
【００１５】
このようなフローセル１０の外周部を囲むように光学ユニット１４が配置されている。光学ユニット１４は、フローセル１０内に所定波長を有するレーザ光の照射域Ｒ１を形成するための光源部１６と、レーザ光が照射された測定サンプルＳから発生する前方散乱光を検出する受光部１８と、同じくレーザ光が照射された測定サンプルＳから発生する側方散乱光および蛍光を検出する受光部２０とを有している。一方の受光部１８は、フローセル１０を挟んで光源部１６に対向する位置に配置され、他方の受光部２０は、光源部１６からのレーザ光の照射方向に対して直角方向に配置されている。前方散乱光を検出する受光部１８としては、例えばフォトダイオード、フォトトランジスタ等を使用することができ、側方散乱光および蛍光を検出する受光部２０としては、例えば光電子増倍管（ＰＭＴ）を使用することができる。
【００１６】
これら受光部１８および２０に分析部２２が接続されている。分析部２２は、受光部１８および２０で得られた検出信号に基づいて、前方散乱光の強度、側方散乱光の強度、蛍光の強度、蛍光寿命等の光情報を算出する。
【００１７】
フローセル１０には、開口端部１２の近傍に振動子２４が取り付けられている。この振動子２４は、フローセル１０を介して内部の溶液に振動を加えることにより、開口端部１２を通って流下する溶液から順次液滴Ｄを形成するためのものである。振動子２４により加えられた振動の周波数に相当する個数の液滴が単位時間当たりに形成される。振動子２４としては、例えば圧電素子が用いられる。
【００１８】
また、フローセル１０の直下の所定位置Ｒ２に側方から対向するように液体噴射部２６が配置されている。液体噴射部２６は、所定位置Ｒ２を落下中の液滴Ｄに向けて側方から液体Ｌを噴射するためのものである。液体Ｌの噴射を受けない液滴Ｄは、鉛直下方へと落下するが、液体噴射部２６から噴射された液体Ｌが衝突した液滴Ｄは、所定位置Ｒ２から落下軌道を偏向し、液体噴射部２６の配置場所とは反対側へ移動しながら放物線を描いて落下することとなる。
なお、液体噴射部２６から噴射される液体Ｌとしては、測定サンプルＳの特性に影響を及ぼさないものであれば、特に限定されないが、例えば、フローセル１０に流通されたシース液およびサンプル液と同じ液体を用いることができる。
【００１９】
液体噴射部２６の駆動を制御するための制御部２８が、分析部２２と液体噴射部２６とに接続されている。制御部２８には、予めオペレータにより入力されていた目標サンプルに固有の光情報が記憶されている。制御部２８は、分析部２２で算出された光情報を予め記憶されていた目標サンプルに固有の光情報と比較することにより、フローセル１０内のレーザ光照射域Ｒ１を通過した測定サンプルＳが目標サンプルか否かを判定し、目標サンプルであると判定された測定サンプルＳを含む液滴Ｄが所定位置Ｒ２を通過する際に液体噴射部２６を駆動して、その液滴Ｄに液体Ｌを衝突させる。
また、制御部２８は、光学ユニット１４の光源部１６および振動子２４にも接続されている。
【００２０】
さらに、液体噴射部２６よりも下方において、フローセル１０の直下には、液体Ｌの噴射を受けなかった液滴Ｄを貯留するための廃液容器３０が配置され、廃液容器３０の側方には、液体Ｌに衝突されて落下軌道を偏向した液滴Ｄを貯留するための回収容器３２が配置されている。
上述した振動子２４、液体噴射部２６、制御部２８、廃液容器３０および回収容器３２により、実施の形態１に係るセルソータが構成されている。
【００２１】
図２に液体噴射部２６の構成を示す。この液体噴射部２６は、圧電素子の伸縮動作を利用した、いわゆるインクジェット方式の噴射部である。ブラケット４０により支持されたヘッド部４２に圧力室４４と、それぞれ圧力室４４に連通する液体流路４６およびノズル４８とが形成されている。圧力室４４の背部には、振動膜５０を介して圧電素子からなるアクチュエータ５２が配置され、ノズル４８が形成されたヘッド部４２の表面は撥水膜５４で被膜されている。
【００２２】
ヘッド部４２は、例えばエポキシ樹脂製の複合材料から形成され、特にヘッド部４２の一部から形成され且つ圧力室４４とアクチュエータ５２との間に介在する振動膜５０は、所定の弾力性および可撓性を有している。また、アクチュエータ５２には、外部から電圧を印加するための図示しない電極が形成されると共に、アクチュエータ５２を構成する圧電素子は、電圧を印加されることにより圧力室４４の方向へ伸長するように分極されている。
このため、液体流路４６を介して圧力室４４に液体Ｌが供給された状態で、アクチュエータ５２にパルス状の電圧を印加すると、図３に示されるように、振動膜５０を押圧変形させながらアクチュエータ５２が圧力室４４の方向へ伸長し、これにより圧力室４４内の圧力が上昇してノズル４８から液体Ｌが噴射される。
【００２３】
次に、図１に示したフローサイトメータの動作について説明する。
まず、制御部２８により光学ユニット１４の光源部１６と振動子２４とが駆動され、フローセル１０内に所定波長を有するレーザ光の照射域Ｒ１が形成されると共にフローセル１０の開口端部１２の近傍に振動が加えられる。この状態で、フローセル１０内にシース液が供給されると共に測定サンプルＳを含むサンプル液がシース液の流れの中に吐出され、これにより測定サンプルＳが１列となって適宜間隔を隔てながら所定の速度Ｖで開口端部１２へと流される。
なお、制御部２８では、測定サンプルＳの所定の速度Ｖおよびレーザ光照射域Ｒ１と所定位置Ｒ２との間の距離に基づき、測定サンプルＳがレーザ光照射域Ｒ１を通過してから所定位置Ｒ２に至るまでの所要時間Ｔが算出され記憶されているものとする。
【００２４】
フローセル１０内を流れる測定サンプルＳがレーザ光照射域Ｒ１に入り、ここで所定波長のレーザ光の照射を受けると、測定サンプルＳに含まれる蛍光色素が励起されて蛍光が発生すると共に測定サンプルＳによる前方散乱光および側方散乱光が発生する。測定サンプルＳから発生された前方散乱光は受光部１８で検出され、受光部１８から分析部２２へ検出信号が伝送される。一方、測定サンプルＳから発生された蛍光および側方散乱光は受光部２０で検出され、受光部２０から分析部２２へ検出信号が伝送される。これらの検出信号に基づいて、分析部２２により、前方散乱光の強度、側方散乱光の強度、蛍光の強度、蛍光寿命等の光情報が算出され、制御部２８へ出力される。
【００２５】
制御部２８では、予めオペレータにより入力され記憶されていた目標サンプルに固有の光情報と分析部２２で算出された光情報との比較が行われる。なお、ここで比較される光情報としては、上述した前方散乱光の強度、側方散乱光の強度、蛍光の強度および蛍光寿命に関する情報のうちのいずれか１つを用いてもよく、あるいは複数の情報をそれぞれ比較するようにしてもよい。
【００２６】
そして、分析部２２で算出された光情報が制御部２８に記憶されていた光情報に合致した場合に、制御部２８は、フローセル１０内のレーザ光照射域Ｒ１を通過した測定サンプルＳが目標サンプルであると判定する。一方、分析部２２で算出された光情報が制御部２８に記憶されていた光情報に合致しない場合には、制御部２８は、フローセル１０内のレーザ光照射域Ｒ１を通過した測定サンプルＳが目標サンプルではないと判定する。
【００２７】
レーザ光照射域Ｒ１を通過した測定サンプルＳは、サンプル液およびシース液からなる溶液と共にフローセル１０内を所定の速度Ｖで下方へと流れて開口端部１２から流出するが、振動子２４によりフローセル１０を介して内部の溶液に振動が加えられているため、開口端部１２を通って流下する溶液から順次液滴Ｄが形成され、落下する。その結果、落下する液滴Ｄが順次、液体噴射部２６が対向する所定位置Ｒ２を通ることとなる。
【００２８】
そこで、制御部２８は、分析部２２から入力された光情報に基づいて目標サンプルであると判定した測定サンプルＳを含む液滴Ｄが所定位置Ｒ２に至るタイミングで液体噴射部２６を駆動する。具体的には、この測定サンプルＳがレーザ光照射域Ｒ１を通過してから予め算出して記憶していた所要時間Ｔが経過した時点で、制御部２８は、液体噴射部２６のアクチュエータ５２にパルス状の電圧を印加し、これによりアクチュエータ５２が伸長して圧力室４４が圧縮され、ノズル４８から液体Ｌが噴射される。
【００２９】
このようにして、目標サンプルを含む液滴Ｄは、落下途中の所定位置Ｒ２で液体噴射部２６から噴射された液体Ｌに衝突され、その落下軌跡を偏向させる。すなわち、フローセル１０の開口端部１２から所定位置Ｒ２までは鉛直下方に向かって落下していた液滴Ｄが、液体Ｌの衝突により所定位置Ｒ２からは側方へ向かう速度成分を有して放物線を描きつつ落下する。その結果、目標サンプルを含む液滴Ｄは、フローセル１０の直下よりも側方へずれた位置に配置された回収容器３２に収容されることとなる。
【００３０】
一方、制御部２８は、分析部２２から入力された光情報に基づいて目標サンプルではないと判定した測定サンプルＳを含む液滴Ｄに対しては、所定位置Ｒ２に至っても液体噴射部２６による液体Ｌの噴射を行わない。すなわち、目標サンプル以外の測定サンプルＳを含む液滴Ｄは、所定位置Ｒ２を通過してもそのまま鉛直下方へと落下し、フローセル１０の直下に配置された廃液容器３０に収容される。
【００３１】
以上のようにして、液滴Ｄに選択的に液体噴射部２６から液体Ｌを噴射することにより、目標サンプルを含む液滴Ｄのみを回収容器３２に収容すると共に目標サンプルを含まない液滴Ｄを廃液容器３０に収容することができる。従来技術で用いられていたような電荷の付与を行わずに、液体Ｌの噴射のみで液滴Ｄを選別するので、大きなダメージを与えることなく細胞等からなる目標サンプルを分別することが可能となる。
また、インクジェット方式の液体噴射部２６を用いているので、１秒間に数万個の液体Ｌを噴射することができ、多数の測定サンプルＳを短時間で分別することが可能となる。
【００３２】
実施の形態２
図４に実施の形態２に係るセルソータの要部の構成を示す。図１に示した実施の形態１のセルソータでは、フローセル１０と廃液容器３０および回収容器３２との間の空間が開放されていたが、フローセル１０の開口端部１２から廃液容器３０および回収容器３２にまで至る液滴Ｄの落下軌跡を管状部材で覆うようにすることができる。この場合、液滴Ｄに選択的に液体Ｌが噴射される所定位置Ｒ２では、図４に示されるように、管状部材６０の壁部にノズル孔６２を形成して、その外側に液体噴射部２６を設置すると共に、管状部材６０を廃液容器３０へ向かう鉛直管部６４と回収容器３２へ向かう分岐管部６６とに分岐させればよい。
液滴Ｄが管状部材６０内を通って落下するため、気流等の周辺雰囲気の影響を受けることなく、液滴Ｄへの液体Ｌの選択的な衝突が確実になされ、目標サンプル分別の信頼性が向上する。
【００３３】
実施の形態３
図５に実施の形態３に係るセルソータの概略構成を示す。このセルソータは、図１に示した実施の形態１のセルソータにおいて、所定位置Ｒ２に対応して配置された液体噴射部２６に加え、所定位置Ｒ２より下方の他の所定位置Ｒ３に対応してもう一つの液体噴射部７０を配置し、制御部２８の代わりに液体噴射部２６および７０に制御部７２を接続すると共に、回収容器３２に加えてもう一つの回収容器７４を配置したものである。制御部７２には、実施の形態１で説明した光学ユニット１４の光源部１６、分析部２２および振動子２４も接続されている。
【００３４】
液体噴射部７０は、実施の形態１で説明した液体噴射部２６と同様の構成を有し、所定位置Ｒ３を落下中の液滴Ｄに向けて側方から液体Ｌを噴射するが、液体噴射部２６とは異なる方向から液体Ｌを噴射するように配置されている。回収容器７４は、所定位置Ｒ３を挟んで液体噴射部７０とは反対側の下方に配置されている。そして、液体噴射部７０から液体Ｌの噴射を受けない液滴Ｄは、所定位置Ｒ３を鉛直下方へと落下するが、液体噴射部７０から噴射された液体Ｌが衝突した液滴Ｄは、所定位置Ｒ３から落下軌道を偏向し、液体噴射部７０の配置場所とは反対側へ移動しながら放物線を描いて回収容器７４へと落下する。
【００３５】
制御部７２には、予めオペレータにより入力されていた第１の目標サンプルに固有の光情報および第２の目標サンプルに固有の光情報がそれぞれ記憶されており、制御部７２は、分析部２２で算出された光情報を予め記憶されていたこれらの光情報と比較することにより、フローセル１０内のレーザ光照射域Ｒ１を通過した測定サンプルＳが第１の目標サンプルか第２の目標サンプルかあるいはその他の目標サンプルかを判定する。
【００３６】
そして、第１の目標サンプルであると判定すると、制御部７２は、その測定サンプルＳを含む液滴Ｄが所定位置Ｒ２を通過するタイミングで液体噴射部２６を駆動して、その液滴Ｄに液体Ｌを衝突させ、落下軌跡を偏向させて液滴Ｄを回収容器３２に収容させる。一方、レーザ光照射域Ｒ１を通過した測定サンプルＳが第２の目標サンプルであると判定すると、制御部７２は、その測定サンプルＳを含む液滴Ｄが所定位置Ｒ３を通過するタイミングで液体噴射部７０を駆動して、その液滴Ｄに液体Ｌを衝突させ、落下軌跡を偏向させて液滴Ｄを回収容器７４に収容させる。また、第１の目標サンプルでも第２の目標サンプルでもないと判定した場合には、液体噴射部２６および７０はいずれも駆動されず、液滴Ｄは、所定位置Ｒ２およびＲ３を通過してもそのまま鉛直下方へと落下して廃液容器３０に収容される。
【００３７】
このようにして、第１および第２の目標サンプルをそれぞれ分別して回収容器３２および７４に収容させることができる。なお、１つの所定位置に対応して２つの液体噴射部２６および７０を互いに異なる方向に向けて配置することができれば、液体噴射部２６および７０の配置高さを互いに異ならせることはなく、例えば共通の所定位置Ｒ２に対応してこれら液体噴射部２６および７０を並設してもよい。
この実施の形態３のセルソータに対しても、実施の形態２に示した管状部材で液滴Ｄの落下軌跡を覆うことができる。
また、同様にして、３組以上の液体噴射部と回収容器を配置することにより、３種類以上の目標サンプルをそれぞれ分別することが可能となる。
【００３８】
実施の形態４
測定サンプルＳを含む液滴Ｄへの液体Ｌの噴射は、液体Ｌが液滴Ｄの中心部分に衝突するように行うことができるが、図６に示されるように、液体Ｌを液滴Ｄの中心部分からずれた位置に衝突させてもよい。このようにすれば、液滴Ｄの中心部分に位置する測定サンプルＳが液体Ｌの衝突による衝撃を直接受けることを回避しつつ分別を行うことが可能となる。特にダメージに弱い測定サンプルＳを分別する場合に有効である。
また、図７に示されるように、複数の小径の液体Ｌ１を液滴Ｄの中心部分からずれた位置に散布して衝突させることもでき、図８に示されるように、リング状の液体Ｌ２を液滴Ｄの中心部分を除いた位置に衝突させることもできる。このようにしても、測定サンプルＳが受けるダメージをさらに低減しつつ分別を行うことが可能となる。
【００３９】
上記の実施の形態１〜４では、液体噴射部として圧電素子の伸縮動作を利用したインクジェット方式の噴射部を用いたが、これに限るものではなく、例えばソレノイドコイルを使用し、電磁力を利用して圧力室を押圧することにより液体Ｌを噴射するように構成することもできる。
【符号の説明】
【００４０】
１０  フローセル、１２  開口端部、１４  光学ユニット、１６  光源部、１８，２０  受光部、２２  分析部、２４  振動子、２６，７０  液体噴射部、２８，７２  制御部、３０  廃液容器、３２，７４  回収容器、４０  ブラケット、４２  ヘッド部、４４  圧力室、４６  液体流路、４８  ノズル、５０  振動膜、５２  アクチュエータ、５４  撥水膜、６０  管状部材、６２  ノズル孔、６４  鉛直管部、６６  分岐管部、Ｓ  測定サンプル、Ｄ  液滴、Ｌ，Ｌ１，Ｌ２  液体、Ｒ１  レーザ光照射域、Ｒ２，Ｒ３  所定位置。
【図１】
2010216992.tif 000003
【図２】
2010216992.tif 000004
【図３】
2010216992.tif 000005
【図４】
2010216992.tif 000006
【図５】
2010216992.tif 000007
【図６】
2010216992.tif 000008
【図７】
2010216992.tif 000009
【図８】
2010216992.tif 000010